(57)【要約】【課題】スライド移動体を確実且つスムーズに自動復帰位置に自動復帰させることができ、強度の強いストッパー機構を提供でき、これらのことから小型化を図ることができるスライド式電子部品を提供する。【解決手段】ケース３０内に収納するスライド移動体７０に摺動子９０を取り付け、摺動子９０に一対並列に突出して摺接パターン２３，２５に摺接する摺動冊子９３，９３を設ける。スライド移動体７０の一対の摺動冊子９３，９３が突出する間の位置にスライド移動体７０を弾発する圧縮コイルバネ１００を配置する。スライド移動体７０の圧縮コイルバネ１００を配置するその両側位置にスライド移動体７０のスライド移動方向Ａに向けて突出する一対のストッパー部７５，７５を設け、ケース３０にはスライド移動体７０がケース３０内に押し込まれた際に一対のストッパー部７５，７５が当接する一対のストッパー受け部４５，４５を設ける。【選択図】図３
2009158306.tif 000002
【特許請求の範囲】
【請求項１】
ケース内にスライド移動自在にスライド移動体を収納すると共に、スライド移動体に取り付けた摺動子及びこの摺動子が摺接する摺接パターンを有してなるスライド式電子部品において、
前記スライド移動体に取り付けた摺動子には一対並列に突出して前記摺接パターンに摺接する摺動冊子を設け、
前記スライド移動体の前記一対の摺動冊子が突出する間の位置に、前記スライド移動体に設けた操作部がケースから外方に突出するように、スライド移動体を弾発する弾性部材を配置したことを特徴とするスライド式電子部品。
【請求項２】
前記スライド移動体の前記弾性部材を配置する位置に、この弾性部材に挿入される弾性部材挿入支持部を設けたことを特徴とする請求項１に記載のスライド式電子部品。
【請求項３】
前記スライド移動体の前記弾性部材を配置するその両側位置に、スライド移動体のスライド移動方向に向けて突出する一対のストッパー部を設け、
一方前記ケースには、前記スライド移動体がケース内に押し込まれた際に前記一対のストッパー部が当接する一対のストッパー受け部を設けたことを特徴とする請求項１又は２に記載のスライド式電子部品。
【請求項４】
前記一対のストッパー部は、前記弾性部材の配置位置の両側であってこの弾性部材の配置位置と前記摺動冊子の間の位置にそれぞれ配置されていることを特徴とする請求項３に記載のスライド式電子部品。
【請求項５】
前記スライド移動体の両ストッパー部を、ケースに設けたスライドガイド部にスライド自在に係合させたことを特徴とする請求項３又は４に記載のスライド式電子部品。
【発明の詳細な説明】
【技術分野】
【０００１】
本発明は、各種電子機器の各種検出スイッチ等として用いて好適なスライド式電子部品に関するものである。
【背景技術】
【０００２】
従来、各種電気機器の各部に取り付けられる検出スイッチ、例えばコンパクトディスクやミニディスクや各種カード等が挿入されたことや、開閉扉が開閉されたこと等を検出するスイッチとして、小型の検出スイッチが利用されている。この種の検出スイッチは例えば特許文献１に示すように、一対のスイッチパターン（２３，２５）を設けたスイッチ基板（２０）上に、前記スイッチパターン（２３，２５）に摺接する摺動子（５０）を取り付けたスライド移動体（３０）及びこのスライド移動体（３０）を一方向に向けて弾発する弾性部材（６０）を設置し、これらスライド移動体（３０）と弾性部材（６０）とをケース（８０）内に収納して構成されている。
【０００３】
しかしながら上記従来の検出スイッチには、以下のような問題点があった。
（１）特許文献１のようにスライド移動体（３０）を自動復帰位置に自動復帰するように弾発する弾性部材（６０）の設置場所をケース（８０）内の一側部にすると、弾性部材（６０）によるスライド移動体（３０）の弾発位置や弾発力方向に偏りが生じてしまう。即ち弾発力の方向とスライド移動体（３０）のスライド移動方向（Ａ）とが正確に一致しなかったりする。そしてスライド移動体（３０）を弾発する弾発力の方向や弾発位置が偏ると、スライド移動体に回転トルクが生じたり、ケース内をスライド移動体が移動する際の摩擦力が大きくなる等の理由から、スライド移動体を確実且つスムーズに自動復帰位置に自動復帰させることができなくなる恐れがあった。特にスライド式電子部品が小型化して弾性部材の弾発力が小さくなると前記回転トルクや摩擦力は無視できなくなり、上記問題は大きくなる。
【０００４】
（２）また従来、スライド移動体を弾性部材の弾発力に抗してケース内に押し込んだ際にスライド移動体の押し込み寸法を規制するストッパー機構を設ける場合があるが、スライド式電子部品を小型化するとストッパー機構も小型化されるのでその強度が弱くなってしまう。このためスライド式電子部品を小型化しても強度を強く維持できるストッパー機構が必要となっていた。言い換えれば、小型化しても強度の強いストッパー機構があれば、さらにスライド式電子部品の小型化が図れることになる。
【特許文献１】特開２００６−２９４５８６号公報
【発明の開示】
【発明が解決しようとする課題】
【０００５】
本発明は上述の点に鑑みてなされたものでありその目的は、スライド移動体を確実且つスムーズに自動復帰位置に自動復帰させることができ、また強度の強いストッパー機構を提供でき、これらのことから小型化を図ることができるスライド式電子部品を提供することにある。
【課題を解決するための手段】
【０００６】
本願請求項１に記載の発明は、ケース内にスライド移動自在にスライド移動体を収納すると共に、スライド移動体に取り付けた摺動子及びこの摺動子が摺接する摺接パターンを有してなるスライド式電子部品において、前記スライド移動体に取り付けた摺動子には一対並列に突出して前記摺接パターンに摺接する摺動冊子を設け、前記スライド移動体の前記一対の摺動冊子が突出する間の位置に、前記スライド移動体に設けた操作部がケースから外方に突出するように、スライド移動体を弾発する弾性部材を配置したことを特徴とするスライド式電子部品にある。
【０００７】
本願請求項２に記載の発明は、前記スライド移動体の前記弾性部材を配置する位置に、この弾性部材に挿入される弾性部材挿入支持部を設けたことを特徴とする請求項１に記載のスライド式電子部品にある。
【０００８】
本願請求項３に記載の発明は、前記スライド移動体の前記弾性部材を配置するその両側位置に、スライド移動体のスライド移動方向に向けて突出する一対のストッパー部を設け、一方前記ケースには、前記スライド移動体がケース内に押し込まれた際に前記一対のストッパー部が当接する一対のストッパー受け部を設けたことを特徴とする請求項１又は２に記載のスライド式電子部品にある。
【０００９】
本願請求項４に記載の発明は、前記一対のストッパー部は、前記弾性部材の配置位置の両側であってこの弾性部材の配置位置と前記摺動冊子の間の位置にそれぞれ配置されていることを特徴とする請求項３に記載のスライド式電子部品にある。
【００１０】
本願請求項５に記載の発明は、前記スライド移動体の両ストッパー部を、ケースに設けたスライドガイド部にスライド自在に係合させたことを特徴とする請求項３又は４に記載のスライド式電子部品にある。
【発明の効果】
【００１１】
請求項１に記載の発明によれば、スライド移動体を弾発する弾性部材をスライド移動体の一対の摺動冊子が突出する間の位置に設置したので、弾性部材によるスライド移動体の弾発が左右に偏ることなくバランス良く行え、スライド移動体を確実且つスムーズにスライド移動させることができる。従ってスライド式電子部品の小型化等によって弾性部材の弾発力が弱くなっても、確実にスライド移動体を自動復帰位置に自動復帰させることができる。これらのことからスライド式電子部品を小型化することができる。
【００１２】
請求項２に記載の発明によれば、弾性部材挿入支持部によって弾性部材を確実に支持でき、従ってスライド移動体をさらに確実且つスムーズにスライド移動させることができる。
【００１３】
請求項３に記載の発明によれば、スライド移動体の弾性部材を配置するその両側位置に設けた一対のストッパー部及びストッパー受け部によってストッパー機構を構成しているので、スライド移動体をケース内に押し込んだ際にスライド移動体を係止する力のバランスが良く、また一対なので強度も強く、例えスライド式電子部品を小型化しても確実にスライド移動体の移動を係止できる。
【００１４】
請求項４に記載の発明によれば、一対のストッパー部の両外側に一対の摺動冊子が位置するので、一対の摺動冊子の離間距離を引き離すことができ、それに対応する一対の摺接パターン間を引き離すことができ、これによって摺接パターン間のマイグレーションを効果的に防止することができる。特に摺接パターンがマイグレーションの顕著な銀パターン等の場合に有効である。
【００１５】
請求項５に記載の発明によれば、スライド移動体の両ストッパー部に、スライド移動体の移動をガイドする移動ガイド機能を持たせたので、スライド式電子部品の小型化を図りつつ、同時にスライド移動体のスムーズなスライド移動を行わせることができる。
【発明を実施するための最良の形態】
【００１６】
以下、本発明の実施形態を図面を参照して詳細に説明する。
〔第１実施形態〕
図１は本発明の第１実施形態にかかるスライド式電子部品１を上側から見た斜視図、図２はスライド式電子部品１を下側から見た斜視図、図３はスライド式電子部品１を上側から見た分解斜視図、図４はスライド式電子部品１を下側から見た分解斜視図である。これらの図に示すようにスライド式電子部品１は、回路基板（以下「フレキシブル回路基板」という）１０を一体成形してなるケース３０の移動体収納部３３内に、摺動子９０を一体成形してなるスライド移動体７０と、弾性部材（以下「圧縮コイルバネ」という）１００とを収納し、ケース３０の移動体収納部３３をカバー１２０で覆って構成されている。以下各構成部品について順に説明する。なお以下の説明において、「上」とはケース３０からカバー１２０側を向く方向をいい、「下」とはその反対側を向く方向をいうものとする。
【００１７】
図５はフレキシブル回路基板１０の斜視図である。同図に示すようにフレキシブル回路基板１０は、可撓性を有する合成樹脂フイルム１１上に所望の回路パターンを設けて構成されており、略矩形状でケース３０と略同一外形形状の基板本体部１３と基板本体部１３の外周辺に帯状に接続される引出部１５とを有している。基板本体部１３の３つの位置には矩形状の開口部１７，１９，２１が設けられ、また基板本体部１３の表面（図５の上面）の所定位置に一対の摺接パターン２３，２５が形成されている。合成樹脂フイルム１１はこの実施形態ではポリエチレンテレフタレート（ＰＥＴ）フイルムを用いているが、熱可塑性、熱硬化性、光硬化性の他の各種合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００１８】
フレキシブル回路基板１０の開口部１７は下記するケース３０の仕切り部３５に対向する位置に設けられており、開口部１９は下記するケース３０の貫通孔６９に対向する位置に設けられており、開口部２１は下記するケース３０の貫通孔６８に対向する位置に設けられている。また一対の摺接パターン２３，２５は矩形状であって前記開口部１７，１９を挟んだその両側位置にそれぞれ設けられており、下記するスライド移動体７０のスライド移動方向Ａに向かう長さを異ならせることで、スイッチパターン（オンオフパターン）を構成している。一方の長い方の摺接パターン２３がコモン側のスイッチパターンとなっている。摺接パターン２３，２５は例えば導電ペーストを印刷（例えばスクリーン印刷）することによって形成しても良いし、貼り付けた金属箔のエッチングによって形成しても良いし、蒸着によって形成しても良いし、さらにその他の各種方法によって形成しても良い。この実施形態では、銀ペーストをスクリーン印刷することによって摺接パターン２３，２５を形成している。なお両摺接パターン２３，２５には引出部１５に引き出される回路パターンが接続されているが、図ではその記載を省略している。
【００１９】
ケース３０は図３，図４に示すように上面が開放された略矩形箱型の成形樹脂製（この例ではＡＢＳ樹脂を用いているが、他の合成樹脂を用いても良い）のケース本体３１内に前記フレキシブル回路基板１０の基板本体部１３をインサート成形（一体成形）して構成されている。ケース本体３１には凹状の移動体収納部３３が設けられ、この移動体収納部３３の底面に前記フレキシブル回路基板１０の基板本体部１３に設けた一対の摺接パターン２３，２５を露出させている。移動体収納部３３は下記するスライド移動体７０をそのスライド移動方向Ａに向けてスライド自在に収納する形状（略矩形状）に形成されている。なおこの実施形態においては、スライド移動方向Ａは直線である。
【００２０】
この移動体収納部３３の底面に露出する前記一対の摺接パターン２３，２５の間のフレキシブル回路基板１０（基板本体部１１）表面に密着して両摺接パターン２３，２５間を仕切る略長方形状でスライド移動方向Ａに向けて延びる薄板状の仕切り部３５がケース３０と一体成形にて設けられている。この仕切り部３５は前記フレキシブル回路基板１０の基板本体部１３に設けた開口部１７を介して基板本体部１３の下面側のケース底面部３７と一体に連結され、これによって仕切り部３５の強度が保たれると共に、仕切り部３５は基板本体部１３の上面に確実に密着している。
【００２１】
仕切り部３５の表面（上面、カバー１２０側に対向する面）には、圧縮コイルバネ１００の外周側面を載置してガイドするガイド面（載置面でもある）３９が設けられている。ガイド面３９は移動体収納部３３内に収納された圧縮コイルバネ１００の略全長に亘る長さを有し、圧縮コイルバネ１００の圧縮方向（スライド移動方向Ａ）に垂直な面での断面が円弧状になるように形成されている。つまり圧縮コイルバネ１００の外周側面の円弧形状に合わせた円弧形状に形成されている。また仕切り部３５の一端（スライド移動体７０から離れる側の一端）はケース３０の内側壁に連結されており、連結された部分のケース３０の内側壁の面を、圧縮コイルバネ１００の一端部が当接するバネ受け面４１としている。また仕切り部３５のバネ受け面４１側の端部近傍のガイド面３９の左右両側部分からはカバー１２０方向（上方向）に向かって立設される一対の立設部４３が設けられ、これら立設部４３のスライド移動体７０側の側面をストッパー受け部４５としている。両立設部４３の間の凹部は、圧縮コイルバネ１００の一端部を収納するバネ端保持部４７となっている。また仕切り部３５の左右両側辺（スライド移動方向Ａを向いてその左右両側辺）は平行であり、下記するスライド移動体７０の一対のストッパー部７５，７５の対向する内側面をスライド自在にガイドするスライドガイド辺４８，４８となっている。つまりスライドガイド辺４８，４８の幅寸法は、一対のストッパー部７５，７５の対向する内側面間の離間寸法よりも若干小さい寸法に形成されている。仕切り部３５は下記するスライド移動体７０の両ストッパー部７５，７５をスライド自在に係合させるスライドガイド部でもある。
【００２２】
ケース３０の前記バネ受け面４１を設けた側壁の反対側の（対向する側の）側壁には、矩形状の切り欠きを設けることで、移動体露出部４９が形成されている。またケース３０の前記フレキシブル回路基板１０の引出部１５を引き出している側の側壁外側には、矩形板状に突出して引出部１５を載置する引出部載置部５７が設けられ、またケース３０の前記バネ受け面４１を設けた側壁外周からは、矩形板状の取付部５９が突出しており、ケース３０と一体成形にて設けられている。取付部５９には円形に貫通する取付係合部（以下「取付穴」という）６１が設けられている。
【００２３】
またバネ受け面４１を設けた側壁の外側面と、その両側の側壁の外側面には、それぞれ下記するカバー１２０の各係止片１２３，１２５，１２７を挿入する係止片係合部６３，６５，６７が設けられている。係止片係合部６３はケース３０の側壁の外側面の凹状の部分から取付部５９に設けた貫通孔６９を介してケース底面部３７の凹状の部分に至るように設けられている。係止片係合部６５は凹状であってケース３０の側壁の外側面からケース底面部３７に至るように設けられている。係止片係合部６７はケース３０の側壁の外側面の凹状の部分から引出部載置部５７に設けた貫通孔６８を介してケース底面部３７の凹状の部分に至るように設けられている。貫通孔６９は前記フレキシブル回路基板１０の開口部１９内を貫通している。また貫通孔６８は前記フレキシブル回路基板１０の開口部２１内を貫通している。
【００２４】
図６はスライド移動体７０と摺動子９０とを分離して示す斜視図である。同図に示す摺動子９０は弾性金属板製（この例ではリン青銅板製であるが、他の材質のものを用いても良い）であり、細帯状の基部９１の一側辺の両端近傍部分から同一方向に向けて並列に（平行に）一対の摺動冊子９３，９３を突出して構成されている。摺動冊子９３，９３の先端近傍部分は下方向に屈曲させることで弾接部９５，９５となっている。
【００２５】
一方スライド移動体７０は合成樹脂製（この例ではＰＯＭ樹脂製であるが、他の各種合成樹脂を用いても良い）であり、図３，図４，図６に示すように平板状で略二等辺三角形状の移動体本体部７１と、移動体本体部７１の外周側辺の内の圧縮コイルバネ１００側を向く辺（二等辺三角形の底辺）の中央から突出する柱状の弾性部材挿入支持部（以下「バネ挿入支持部」という）７３と、バネ挿入支持部７３の両側位置（即ち圧縮コイルバネ１００を配置するその両側位置）からバネ挿入支持部７３と同一方向（即ち圧縮コイルバネ１００の圧縮方向）に向けて突出する一対のストッパー部７５，７５とを具備して構成されている。バネ挿入支持部７３は言い換えれば、スライド移動体７０の下記する圧縮コイルバネ１００を配置する位置に設けられている。ストッパー部７５，７５は略矩形状の平板の平面を上下方向に向けた形状であり、その先端部（先端辺）は前記ケース３０のストッパー受け部４５に当接する当接部７７となっており、またその上下面はそれぞれカバー１２０とフレキシブル回路基板１０の面に当接して摺動する摺接部７９となっている。なお一対のストッパー部７５，７５は、スライド移動体７０の圧縮コイルバネ１００を配置するその両側位置に、スライド移動体７０のスライド移動方向Ａに向けて突出している。また移動体本体部７１の三角形状に突出している頂点を含む左右両辺全体（二等辺三角形の一対の斜辺部分）はこれに図示しない検出物が当接する操作部８１となっている。即ち操作部８１は、図６に示すように、頂部８１ａの両側に末広がり形状の傾斜面８１ｂ，８１ｂを設ける形状に形成されている。また移動体本体部７１の圧縮コイルバネ１００側を向く辺（二等辺三角形の底辺）の左右両端部からそれぞれ小突起を突出することで操作部８１との間に段部を形成し、この段部の面をストッパー部８３としている。両ストッパー部８３，８３は前記ケース３０の移動体露出部４９の左右両端の側壁の内側面に当接することで、スライド移動体７０がケース３０の移動体露出部４９から抜け出ることを防止するものである。
【００２６】
そして摺動子９０はその基部９１がスライド移動体７０の内部にインサート成形され、その際一対の摺動冊子９３，９３がスライド移動体７０の一対のストッパー部７５，７５の外側部分からストッパー部７５と同一方向に向けて外部に並列に突出する。
【００２７】
圧縮コイルバネ１００は図では円筒状に簡略化して記載しているが、実際は弾性線材（この例ではステンレスを用いているが、他の各種材質であっても良い）をコイル状に巻き回して形成されている。巻き回した弾性線材間は圧縮可能となるように所定の隙間を有している。
【００２８】
カバー１２０はこの実施形態では金属板製（この例ではステンレスを用いているが、他の各種材質を用いても良い）であり、略平板矩形状のカバー本体部１２１と、カバー本体部１２１の外周の三辺からそれぞれ略舌片状に突出する係止片１２３，１２５，１２７とを具備し、各係止片１２３，１２５，１２７をその根元部分で下方向に折り曲げて構成されている。係止片１２３はケース３０の係止片係合部６３に対向する位置に設けられ、係止片１２５は係止片係合部６５に対向する位置に設けられ、係止片１２７は係止片係合部６７に対向する位置に設けられている。
【００２９】
そしてスライド式電子部品１を組み立てるには、スライド移動体７０のバネ挿入支持部７３を圧縮コイルバネ１００の中央の穴に挿入したものを、図７に示すようにケース３０の移動体収納部３３内に収納する。このとき圧縮コイルバネ１００はその一端がケース３０のバネ受け面４１に当接し、他端がスライド移動体７０に当接し、その外周側面が仕切り部３５（そのガイド面３９）上に載置され、これによってスライド移動体７０はケース３０内を移動体露出部４９を設けた側壁側に向けて弾発され、一対のストッパー部８３，８３がケース３０の移動体露出部４９両端の側壁の内面側に弾接すると共に、その操作部８１が移動体露出部４９の外部に露出（突出）する。このとき一対の摺動冊子９３，９３の弾接部９５，９５は何れの摺接パターン２３，２５にも当接しておらず、従ってスイッチはオフ状態である。またこのときスライド移動体７０の一対のストッパー部７５，７５間に仕切り部３５が嵌め込まれて係合し、スライド移動体７０は仕切り部３５（その両スライドガイド辺４８，４８）にガイドされて直線方向であるスライド移動方向Ａに向かって直線状にスライド移動自在となっている。即ち前述のように仕切り部３５はスライドガイド部３５でもある。そして前記ケース３０の上にカバー１２０を被せ、カバー１２０の各係止片１２３，１２５，１２７をそれぞれケース３０の各係止片係合部６３，６５，６７に挿入してその先端をケース底面部３７側に折り曲げて取り付ける。これによって図１，図２に示すスライド式電子部品１が完成する。
【００３０】
以上のようにして組み立てられたスライド式電子部品１は、ケース３０と一体に設けられた取付部５９の部分が取付穴６１を用いて所望の部材に取り付けられる。そしてスライド式電子部品１の移動体露出部４９から露出するスライド移動体７０の操作部８１に、図示しない検出物が例えば図１に示す矢印Ｂ方向（スライド移動方向Ａと同じ方向）から移動してきて当接すると、スライド移動体７０は圧縮コイルバネ１００の弾発力に抗して移動体収納部３３内を圧縮コイルバネ１００を縮める方向にスライド移動する。このときまず一方の摺動冊子９３の弾接部９５が一方の摺接パターン２３に当接するが、この状態では今だスイッチはオフ状態である。さらにスライド移動体７０が矢印Ｂ方向にスライド移動していくと、もう一方の摺動冊子９３の弾接部９５も摺接パターン２５に当接し、これによって両摺接パターン２３，２５間が導通し、スイッチがオンする。スイッチがオン状態のままさらにもう少しスライド移動体７０を矢印Ｂ方向にスライド移動すると、スライド移動体７０の一対のストッパー部７５，７５の当接部７７，７７がケース３０の一対のストッパー受け部４５，４５に当接し、その移動が係止される。前記検出物によるスライド移動体７０の押圧状態が解除されると、圧縮コイルバネ１００の弾発力によってスライド移動体７０は元の位置に直線状に自動復帰して行き、前記摺接パターン２５への弾接部９５の当接が解除された段階でスイッチはオフし、さらにスライド移動体７０は元の静止位置（図１，図２に示す位置）まで自動復帰する。なお摺動子９０と摺接パターン２３，２５とによって、スライド移動体７０のスライド移動によって電気的出力を変化する電気的機能部を構成している。
【００３１】
なおスライド移動体７０の操作部８１は、図６に示すように頂部８１ａの両側に末広がり形状の傾斜面８１ｂ，８１ｂを設けたので、図１に示す矢印Ｂ方向のみでなく、これに直交する矢印Ｃ，Ｄ方向から押圧しても、即ち頂部８１ａ（真上方向）又は両傾斜面８１ｂ，８１ｂ（左右方向）の何れの方向から押圧しても、このスライド移動体７０を同一方向である矢印Ｂ方向にスライド移動させる力に変換することができ、スムーズにスライド移動させることができる。つまり操作部８１の形状をこの例のように形成すれば、スライド移動体７０を押圧する方向が種々変更してもこれに対応できるので好適である。
【００３２】
またケース３０の移動体収納部３３の底面に露出する一対の摺接パターン２３，２５の間のフレキシブル回路基板１０表面に密着して両摺接パターン２３，２５間を仕切る仕切り部３５をケース３０と一体成形（ケース３０を成形する材料でケース３０と一体の部分として行う成形）にて設けたので、仕切り部３５によって確実に両摺接パターン２３，２５間が仕切られて両摺接パターン２３，２５間の沿面距離が長くなり、マイグレーションが防止できる。特に摺接パターン２３，２５の材料に銀を用いた場合は有効である。従って両摺接パターン２３，２５間の間隔を狭くできる。このことからスライド式電子部品１の小型化が図れる。なお上記実施形態においては、フレキシブル回路基板１０の両摺接パターン２３，２５の間に開口部１７，１９を設けているので、さらに両摺接パターン２３，２５間のマイグレーションが効果的に防止できる。またスライド式電子部品１は、仕切り部３５に圧縮コイルバネ１００を載置しているので、ケース３０と一体に設けた仕切り部３５に、前記マイグレーション防止機能の他に、圧縮コイルバネ１００の載置機能を併せ持たせることができる。従って圧縮コイルバネ１００（その外周側面）を載置して圧縮コイルバネ１００の伸縮をガイドすることができる。特にこの実施形態においては、載置面３９を凹状のガイド面３９としているので、圧縮コイルバネ１００の載置及び伸縮時のガイドがさらに確実に行える。
【００３３】
以上説明したようにスライド式電子部品１は、ケース３０内にスライド移動自在にスライド移動体７０を収納すると共に、スライド移動体７０に取り付けた摺動子９０及びこの摺動子９０が摺接する摺接パターン２３，２５を有してなるスライド式電子部品１であり、スライド移動体７０に取り付けた摺動子９０に一対並列に突出して前記摺接パターン２３，２５に摺接する摺動冊子９３，９３を設け、スライド移動体７０の前記一対の摺動冊子９３，９３が突出する間の位置に、スライド移動体７０に設けた操作部８１がケース３０から外方に突出するように、スライド移動体７０を弾発する圧縮コイルバネ１００を配置して構成している。このように圧縮コイルバネ１００をスライド移動体７０の一対の摺動冊子９３，９３が突出する間の位置に設置したので、圧縮コイルバネ１００によるスライド移動体７０の弾発が左右に偏ることなくバランス良く行え、スライド移動体７０を確実且つスムーズにスライド移動させることができる。従ってスライド式電子部品１の小型化等によって圧縮コイルバネ１００の弾発力が弱くなっても、確実にスライド移動体７０を自動復帰位置に自動復帰させることができる。これらのことからスライド式電子部品１を小型化することができる。
【００３４】
またスライド式電子部品１は、スライド移動体７０の圧縮コイルバネ１００を配置する位置に、この圧縮コイルバネ１００に挿入されるバネ挿入支持部７３を設けたので、バネ挿入支持部７３によって圧縮コイルバネ１００を確実に支持でき、従ってスライド移動体７０をさらに確実且つスムーズにスライド移動させることができる。
【００３５】
またスライド式電子部品１は、スライド移動体７０の圧縮コイルバネ１００を配置するその両側位置に、スライド移動体７０のスライド移動方向Ａに向けて突出する一対のストッパー部７５，７５を設け、一方ケース３０には、スライド移動体７０がケース３０内に押し込まれた際にストッパー部７５，７５が当接するストッパー受け部４５，４５を設けた。即ちスライド移動体７０の圧縮コイルバネ１００を配置するその両側位置に設けた一対のストッパー部７５，７５及びストッパー受け部４５，４５によってストッパー機構を構成したので、スライド移動体７０をケース３０内に押し込んだ際にスライド移動体７０を係止する力のバランスが良く、また一対なので強度も強く、例えスライド式電子部品１を小型化しても確実にスライド移動体７０の移動を係止できる。
【００３６】
またスライド式電子部品１は、一対のストッパー部７５，７５を、圧縮コイルバネ１００の配置位置の両側であって圧縮コイルバネ１００の配置位置と摺動冊子９３，９３の間の位置にそれぞれ配置したので、一対のストッパー部７５，７５の両外側に一対の摺動冊子９３，９３が位置するので、一対の摺動冊子９３，９３の離間距離を引き離すことができ、それに対応する一対の摺接パターン２３，２５間を引き離すことができ、これによって摺接パターン２３，２５間のマイグレーションを効果的に防止することができる。特に摺接パターン２３，２５がマイグレーションの顕著な銀パターン等の場合に有効である。
【００３７】
またスライド式電子部品１は、スライド移動体７０の両ストッパー部７５，７５を、ケース３０に設けたスライドガイド部（仕切り部）３５にスライド自在に係合させ、これによってスライド移動体７０の両ストッパー部７５，７５に、スライド移動体７０の移動をガイドする移動ガイド機能を持たせたので、スライド式電子部品１の小型化を図りつつ、同時にスライド移動体７０にそのスムーズなスライド移動を行わせることができる。
【００３８】
またスライド式電子部品１は、操作部８１を、頂部８１ａの両側に末広がり形状の傾斜面８１ｂ，８１ｂを設けることで頂部８１ａ又は両傾斜面８１ｂ，８１ｂの何れを押圧してもスライド移動体７０を同一方向（スライド移動方向Ａ）にスライド移動させる力に変換する形状に形成したので、スライド移動体７０の操作部８１を真上方向及び左右方向の何れの方向から押圧しても、スライド移動体７０を同一方向にスムーズにスライド移動させることができる。
【００３９】
またケース３０に、ケース３０の外周から突出してその内部に取付穴６１を有する取付部５９を一体に成形したので、たとえこのスライド式電子部品１が極めて小さくても、簡単な構造で相手方の所望の部材に取付穴６１の部分を用いて正確に位置決めして取り付けることができる。従って図示しない検出物が当接する位置に正確にスライド式電子部品１の操作部８１を設置でき、微小ストロークでもスライド移動体７０を正確に動作させることができる。なおスライド式電子部品に上記取付部５９を設けずに、例えばスライド式電子部品を相手方の所望の部材に半田リフローによって取り付ける場合は、半田リフロー時にスライド式電子部品の取付位置がずれるので、上記のように正確に位置決めして相手方の所望の部材に取り付けることはできない。
【００４０】
〔第２実施形態〕
図８は本発明の第２実施形態にかかるスライド式電子部品１−２を上側から見た斜視図、図９はスライド式電子部品１−２を下側から見た斜視図、図１０はスライド式電子部品１−２の断面斜視図（図８のＤ−Ｄ線での断面を示す）、図１１はスライド式電子部品１−２を上側から見た分解斜視図、図１２はスライド式電子部品１−２を下側から見た分解斜視図である。これらの図に示すようにスライド式電子部品１−２は、取付部材２００上に、回路基板（以下「フレキシブル回路基板」という）２１０と、摺動子２９０を一体成形してなるスライド移動体２７０及び弾性部材（以下「圧縮コイルバネ」という）３００を収納したケース２３０とを設置して構成されている。以下各構成部品について説明する。なお以下の説明において、「上」とはフレキシブル回路基板２１０からケース２３０側を向く方向をいい、「下」とはその反対側を向く方向をいうものとする。
【００４１】
取付部材２００は薄板状の板部材を略矩形状に形成して構成されており、この実施形態ではステンレス板を用いている。もちろん他の金属板を用いても良く、金属以外の各種材料を用いても良い。また必ずしも板状でなくても良い。取付部材２００の所定位置には、略円形の複数（５つ）の貫通する孔が設けられており、その内の複数（４つ）の孔はケース取付孔２０１であり、別（１つ）の孔は基台取付孔２０３である。
【００４２】
フレキシブル回路基板２１０は、可撓性を有する合成樹脂フイルム２１１上に所望の回路パターンを設けて構成されており、略矩形状の基板本体部２１３と基板本体部２１３の外周辺に帯状に接続される引出部２１５とを有している。合成樹脂フイルム２１１の材質は上記スライド式電子部品１の合成樹脂フイルム１１と同じである。基板本体部２１３の前記取付部材２００の各ケース取付孔２０１に対向する位置（４ヶ所）と、引出部２１５の前記基台取付孔２０３に対向する位置には、それぞれ各ケース取付孔２０１と略同一形状寸法の貫通するケース挿通孔２１７と、基台取付孔２０３よりも内径の大きい貫通する基台挿通孔２１９とが設けられている。また基板本体部２１３の表面（図１１の上面）の所定位置には一対の摺接パターン２２３，２２５が形成されている。これら摺接パターン２２３，２２５は矩形状であって下記するスライド移動体７０のスライド移動方向Ｅに向かう長さを異ならせることで、スイッチパターン（オンオフパターン）を構成している。一方の長い方の摺接パターン２２３がコモン側のスイッチパターンとなっている。摺接パターン２２３，２２５の材質やその形成方法は、前記スライド式電子部品１の摺接パターン２３，２５と同じである。なお両摺接パターン２２３，２２５には引出部２１５に引き出される回路パターンが接続されているが、図ではその記載を省略している。
【００４３】
図１５はケース２３０を下面側から見た斜視図である。同図及び図１１，図１２に示すようにケース２３０は、合成樹脂（この実施形態ではＡＢＳ樹脂を用いているが、他の合成樹脂を用いても良い）を、下面が開放された略矩形箱型に成形して構成されており、ケース２３０の下面の凹状部分を移動体収納部２３３としている。移動体収納部２３３は下記するスライド移動体２７０をそのスライド移動方向Ｅに向けてスライド移動自在に収納する形状（略矩形状）に形成されている。なおこの実施形態におけるスライド移動方向Ｅも直線である。
【００４４】
移動体収納部２３３の底面（ケース２３０の裏面）の略中央には、スライド移動方向Ｅに向けて延びる１本の直線で凹状の弾性部材収納部２３５が設けられている。弾性部材収納部２３５は圧縮コイルバネ３００の外周側面の一部を収納するものであり、その表面は圧縮コイルバネ３００の外周側面を載置してガイドするガイド面（載置面でもある）２３７となっている。ガイド面２３７は移動体収納部２３３内に収納された圧縮コイルバネ３００の略全長に亘る長さを有し、圧縮コイルバネ３００の圧縮方向（スライド移動方向Ｅ）に垂直な面での断面が円弧状になるように形成されている。つまり圧縮コイルバネ３００の外周側面の円弧形状に合わせた円弧形状に形成されている。また弾性部材収納部２３５の一端側のケース２３０の内側壁の面を、圧縮コイルバネ３００の一端部が当接するバネ受け面２３９としている。バネ受け面２３９には、円形に貫通するガイド孔２４０が設けられている。ガイド孔２４０は下記するスライド移動体２７０のバネ挿入支持部２７３を挿入ガイドするものである。
【００４５】
移動体収納部２３３の底面（ケース２３０の裏面）の弾性部材収納部２３５の両側には、スライド移動方向Ｅに向けて延びる一対の溝からなるスライドガイド部２４３，２４３が弾性部材収納部２３５と平行に形成されている。これらスライドガイド部２４３，２４３は下記するスライド移動体２７０の両ストッパー部２７５，２７５をスライド自在に係合する寸法に形成されている。また両スライドガイド部２４３，２４３の同一側の一端部（バネ受け面２３９近傍）にはそれぞれ下方向（フレキシブル回路基板２１０方向）に向けて立設される一対の立設部２４５，２４５が設けられ、これら立設部２４５，２４５のスライド移動体２７０を設置する側の側面をストッパー受け部２４７，２４７としている。両立設部２４５，２４５の間の凹部は圧縮コイルバネ３００の一端部を収納するバネ端保持部２４６となっている。また両スライドガイド部２４３，２４３の他端面（ストッパー受け部２４７，２４７に対向する面）は、第二ストッパー受け部２４８，２４８となっている。
【００４６】
ケース２３０の前記バネ受け面２３９を設けた側壁の反対側の（対向する側の）側壁には、矩形状の切り欠きを設けることで移動体露出部２４９が形成されている。またケース２３０の下端辺の複数ヶ所（前記フレキシブル回路基板２１０の各ケース挿通孔２１７に対向する４ヶ所）からは下方向に向かって柱状に突出してケース挿通孔２１７に挿入される取付部２５１が設けられている。
【００４７】
図１３はスライド移動体２７０を上側から見た斜視図、図１４は下側から見た斜視図である。これらの図１３，図１４及び図１１，図１２に示すようにスライド移動体２７０は合成樹脂製（この例ではＰＯＭ樹脂製であるが、他の各種合成樹脂を用いても良い）であり、平板状で略２等辺三角形状の移動体本体部２７１と、移動体本体部２７１の外周側辺の内の圧縮コイルバネ３００側を向く辺（２等辺三角形の底辺）の中央から突出する柱状の弾性部材挿入支持部（以下「バネ挿入支持部」という）２７３と、バネ挿入支持部２７３の両側位置（即ち圧縮コイルバネ３００を配置するその両側位置）からバネ挿入支持部２７３と同一方向（即ち圧縮コイルバネ３００の圧縮方向）に向けて突出する一対のストッパー部２７５，２７５とを具備して構成されている。バネ挿入支持部２７３は言い換えればスライド移動体２７０の下記する圧縮コイルバネ３００を配置する位置に設けられている。バネ挿入支持部２７３の根元側の部分はバネ受け面２７４となっており、その上部は前記ケース２３０の弾性部材収納部２３５内に挿入される円弧状の突部２７４ａとなっている。ストッパー部２７５，２７５は略矩形状の平板の平面を上下方向に向けた形状であり、突出したその先端部（移動体本体部２７１から離れた側）は前記ケース２３０のストッパー受け部２４７に当接する当接部２７７となっている。またストッパー部２７５の根元側部分（移動体本体部２７１の上面から上方向に突出している部分）の先端部は前記ケース２３０の上方に突出することでその先端部を前記ケース２３０の第二ストッパー受け部２４８に当接する第二当接部２７８としている。ストッパー部２７５の下部の部分は上部の部分に比べてスライド移動体２７０からの突出寸法を短くしている。またストッパー部２７５の上部は前記ケース２３０のスライドガイド部２４３にスライド自在に挿入できる寸法に形成され、ストッパー部２７５の下辺はフレキシブル回路基板２１０の表面上を摺動する摺接部となっている。なおストッパー部２７５，２７５はスライド移動体２７０の圧縮コイルバネ３００を配置するその両側位置にスライド移動体２７０のスライド移動方向Ｅに向けて突出している。
【００４８】
また移動体本体部２７１の三角形状に突出している頂点を含む左右両辺全体（二等辺三角形の一対の斜辺部分）はこれに図示しない検出物が当接する操作部２８１となっている。即ち操作部２８１は、頂部２８１ａの両側に末広がり形状の傾斜面２８１ｂ，２８１ｂを設ける形状に形成されている。この例では傾斜面２８１ｂは平面状である（前記傾斜面８１ｂも同じ）。
【００４９】
摺動子２９０は前記スライド式電子部品１の図６に示す摺動子９０と全く同一のものであり、基部２９１がスライド移動体２７０の内部にインサート成形され、その際一対の摺動冊子２９３，２９３がスライド移動体２７０の一対のストッパー部２７５，２７５の外側部分からストッパー部２７５と同一方向に向けて外部に突出している。摺動冊子２９３，２９３の先端近傍部分には弾接部２９５，２９５が設けられている。
【００５０】
圧縮コイルバネ３００も前記スライド式電子部品１の圧縮コイルバネ１００と全く同一のものであり、図１１，図１２では円筒状に簡略化して記載しているが、実際は例えば図１０にその断面を示すように、弾性線材（この例ではステンレスを用いているが、他の各種材質であっても良い）をコイル状に巻き回して形成されている。巻き回した弾性線材間は圧縮可能となるように所定の隙間を有している。
【００５１】
そしてスライド式電子部品１−２を組み立てるには、スライド移動体２７０のバネ挿入支持部２７３を圧縮コイルバネ３００の中央の穴に挿入したものを、ケース２３０の移動体収納部２３３内に収納する。このとき圧縮コイルバネ３００はその両端がそれぞれケース２３０のバネ受け面２３９とスライド移動体２７０のバネ受け面２７４に当接し、その外周側面の一部が弾性部材収納部２３５に収納されてそのガイド面２３７上に載置され、これによってスライド移動体２７０はケース２３０内を移動体露出部２４９を設けた側面側に向けて弾発され、一対のストッパー部２７５，２７５の第二当接部２７８，２７８がケース２３０の第二ストッパー受け部２４８，２４８に弾接すると共に、その操作部２８１が移動体露出部２４９の外部に露出（突出）する。このときスライド移動体２７０の一対のストッパー部２７５，２７５はケース２３０のスライドガイド部２４３，２４３に挿入・ガイドされてスライド移動方向Ｅに向かって直線状にスライド移動自在となっている。そしてケース２３０の下側にフレキシブル回路基板２１０と取付部材２００とを設置し、その際ケース２３０の各取付部２５１をフレキシブル回路基板２１０の各ケース挿通孔２１７と取付部材２００の各ケース取付孔２０１に挿入し、それらの先端を取付部材２００の下面において熱かしめする。これによって図８，図９に示すスライド式電子部品１−２が完成する。このとき一対の摺動冊子２９３，２９３の弾接部２９５，２９５は何れの摺接パターン２２３，２２５にも当接しておらず、従ってスイッチはオフ状態である。
【００５２】
以上のようにして組み立てられたスライド式電子部品１−２は、取付部材２００に設けた基台取付孔２０３（及び基台挿通孔２１９）の部分を用いて所望の図示しない部材（基台）に取り付けられる。そしてスライド式電子部品１−２の移動体露出部２４９から露出するスライド移動体２７０の操作部２８１に、図示しない検出物が例えば図８の矢印Ｆ方向（スライド移動方向Ｅと同じ方向）から移動してきて当接すると、スライド移動体２７０は圧縮コイルバネ３００の弾発力に抗して移動体収納部２３３内を圧縮コイルバネ３００を縮める方向にスライド移動する。このときまず一方の摺動冊子２９３の弾接部２９５が一方の摺接パターン２２３に当接する。さらにスライド移動体２７０が矢印Ｆ方向にスライド移動していくと、もう一方の摺動冊子２９３の弾接部２９５も摺接パターン２２５に当接し、これによって両摺接パターン２２３，２２５間が導通し、スイッチがオンする。スイッチがオン状態のままさらにもう少しスライド移動体２７０を矢印Ｆ方向にスライド移動すると、スライド移動体２７０の一対のストッパー部２７５，２７５の当接部２７７，２７７がケース２３０の一対のストッパー受け部２４７，２４７に当接し、その移動が係止される。前記検出物によるスライド移動体２７０の押圧状態が解除されると、圧縮コイルバネ３００の弾発力によってスライド移動体２７０は元の位置に直線状に自動復帰して行き、前記摺接パターン２２５への弾接部２９５の当接が解除された段階でスイッチはオフし、さらにスライド移動体２７０は元の静止位置（図８，図９に示す位置）まで自動復帰する。なお摺動子２９０と摺接パターン２２３，２２５とによって、スライド移動体２７０によって電気的出力を変化する電気的機能部を構成している。
【００５３】
なおスライド移動体２７０の操作部２８１は前記スライド移動体７０の操作部８１と同様に、頂部２８１ａの両側に末広がり形状の傾斜面８１ｂ，８１ｂを設けているので、スライド移動体２７０を押圧する方向が種々変更（例えば図８に示す矢印Ｇ，Ｈ方向）してもこれに対応できるので好適である。またガイド面（載置面）２３７に圧縮コイルバネ３００の外周側面を載置しているので、圧縮コイルバネ３００の伸縮をガイドすることができ、圧縮コイルバネ３００の動作を確実に行わせることができる。
【００５４】
以上説明したようにスライド式電子部品１−２は、ケース２３０内にスライド移動自在にスライド移動体２７０を収納すると共に、スライド移動体２７０に取り付けた摺動子２９０及びこの摺動子２９０が摺接する摺接パターン２２３，２２５を有してなるスライド式電子部品１−２であり、スライド移動体２７０に取り付けた摺動子２９０に一対並列に突出して前記摺接パターン２２３，２２５に摺接する摺動冊子２９３，２９３を設け、スライド移動体２７０の一対の摺動冊子２９３，２９３が突出する間の位置に、スライド移動体２７０に設けた操作部２８１がケース２３０から外方に突出するように、スライド移動体２７０を弾発する圧縮コイルバネ３００を配置して構成している。このように圧縮コイルバネ３００をスライド移動体２７０の一対の摺動冊子２９３，２９３が突出する間の位置に設置したので、圧縮コイルバネ３００によるスライド移動体２７０の弾発が左右に偏ることなくバランス良く行え、スライド移動体２７０を確実且つスムーズにスライド移動させることができる。従ってスライド式電子部品１−２の小型化等によって圧縮コイルバネ３００の弾発力が弱くなっても、確実にスライド移動体２７０を自動復帰位置に自動復帰させることができる。これらのことからスライド式電子部品１−２の小型化を図ることができる。
【００５５】
またスライド式電子部品１−２は、スライド移動体２７０の圧縮コイルバネ３００を配置する位置に、この圧縮コイルバネ３００に挿入されるバネ挿入支持部２７３を設けたので、バネ挿入支持部２７３によって圧縮コイルバネ３００を確実に支持でき、従ってスライド移動体２７０をさらに確実且つスムーズにスライド移動させることができる。
【００５６】
またスライド式電子部品１−２は、スライド移動体２７０の圧縮コイルバネ３００を配置するその両側位置に、スライド移動体２７０のスライド移動方向Ｅに向けて突出する一対のストッパー部２７５，２７５を設け、一方ケース２３０には、スライド移動体２７０がケース２３０内に押し込まれた際に一対のストッパー部２７５，２７５が当接する一対のストッパー受け部２４７，２４７を設けることによってストッパー機構を構成しているので、スライド移動体２７０をケース２３０内に押し込んだ際にスライド移動体２７０を係止する力のバランスが良く、また一対なので強度も強く、例えスライド式電子部品１−２を小型化しても確実にスライド移動体２７０の移動を係止できる。
【００５７】
またスライド式電子部品１−２は、一対のストッパー部２７５，２７５を、圧縮コイルバネ３００の配置位置の両側であって圧縮コイルバネ３００の配置位置と摺動冊子２９３，２９３の間の位置にそれぞれ配置したので、一対のストッパー部２７５，２７５の両外側に一対の摺動冊子２９３，２９３が位置するので、一対の摺動冊子２９３，２９３の離間距離を引き離すことができ、それに対応する一対の摺接パターン２２３，２２５間を引き離すことができ、これによって摺接パターン２２３，２２５間のマイグレーションを効果的に防止することができる。特に摺接パターン２２３，２２５がマイグレーションの顕著な銀パターン等の場合に有効である。
【００５８】
またスライド式電子部品１−２は、スライド移動体２７０の両ストッパー部２７５，２７５を、ケース２３０に設けたスライドガイド部２４３，２４３にスライド自在に係合させることによって、スライド移動体２７０の両ストッパー部２７５，２７５にスライド移動体２７０の移動をガイドする移動ガイド機能を持たせたので、スライド式電子部品１−２の小型化を図りつつ、同時にスライド移動体２７０にそのスムーズなスライド移動を行わせることができる。
【００５９】
またスライド式電子部品１−２は、スライド移動体２７０の操作部２８１が、頂部２８１ａの両側に末広がり形状の傾斜面２８１ｂを設けることで頂部２８１ａ又は両傾斜面２８１ｂの何れを押圧してもスライド移動体２７０を同一方向にスライド移動させる力に変換する形状に形成されているので、スライド移動体２７０の操作部８１を真上方向及び左右方向の何れの方向から押圧しても、スライド移動体２７０を同一方向にスムーズにスライド移動させることができる。
【００６０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では回路基板としてフレキシブル回路基板１０（２１０）を用いたが、硬質の回路基板を用いても良い。また摺接パターン２３，２５（２２３，２２５）はスイッチパターンに限定されず、例えば抵抗体パターンやその他の各種パターンであっても良い。また上記実施形態では弾性部材として圧縮コイルバネ１００（３００）を用いたが、例えば円筒形状のゴム材を用いる等、他の各種弾性部材を用いても良い。形状も必ずしも円筒形状でなくても良い。なお上記スライド式電子部品１（１−２）の組立手順は何れもその一例であり、他の各種異なる組立手順を用いて組み立てても良いことはいうまでもない。
【図面の簡単な説明】
【００６１】
【図１】スライド式電子部品１を上側から見た斜視図である。
【図２】スライド式電子部品１を下側から見た斜視図である。
【図３】スライド式電子部品１を上側から見た分解斜視図である。
【図４】スライド式電子部品１を下側から見た分解斜視図である。
【図５】フレキシブル回路基板１０の斜視図である。
【図６】スライド移動体７０と摺動子９０とを分離して示した斜視図である。
【図７】スライド式電子部品１の組立方法説明図である。
【図８】スライド式電子部品１−２を上側から見た斜視図である。
【図９】スライド式電子部品１−２を下側から見た斜視図である。
【図１０】スライド式電子部品１−２の断面斜視図である。
【図１１】スライド式電子部品１−２を上側から見た分解斜視図である。
【図１２】スライド式電子部品１−２を下側から見た分解斜視図である。
【図１３】スライド移動体２７０を上側から見た斜視図である。
【図１４】スライド移動体２７０を下側から見た斜視図である。
【図１５】ケース２３０を下面側から見た斜視図である。
【符号の説明】
【００６２】
１  スライド式電子部品
１０  フレキシブル回路基板（回路基板）
２３，２５  摺接パターン（電気的機能部）
３０  ケース
３３  移動体収納部
３５  仕切り部（スライドガイド部）
４５  ストッパー受け部
７０  スライド移動体
７３  バネ挿入支持部（弾性部材挿入支持部）
７５  ストッパー部
Ａ  スライド移動方向
８１  操作部
８１ａ  頂部
８１ｂ  傾斜面
９０  摺動子（電気的機能部）
９３  摺動冊子
１００  圧縮コイルバネ（弾性部材）
１２０  カバー
１−２  スライド式電子部品
２００  取付部材
２１０  フレキシブル回路基板（回路基板）
２２３，２２５  摺接パターン（電気的機能部）
２３０  ケース
２３３  移動体収納部
２４３  スライドガイド部
２４７  ストッパー受け部
２４８  第二ストッパー受け部
２７０  スライド移動体
２７３  バネ挿入支持部（弾性部材挿入支持部）
２７５  ストッパー部
２７７  当接部
２７８  第二当接部
Ｅ  スライド移動方向
２８１  操作部
２８１ａ  頂部
２８１ｂ  傾斜面
２９０  摺動子（電気的機能部）
２９３  摺動冊子
３００  圧縮コイルバネ（弾性部材）
【図１】
2009158306.tif 000003
【図２】
2009158306.tif 000004
【図３】
2009158306.tif 000005
【図４】
2009158306.tif 000006
【図５】
2009158306.tif 000007
【図６】
2009158306.tif 000008
【図７】
2009158306.tif 000009
【図８】
2009158306.tif 000010
【図９】
2009158306.tif 000011
【図１０】
2009158306.tif 000012
【図１１】
2009158306.tif 000013
【図１２】
2009158306.tif 000014
【図１３】
2009158306.tif 000015
【図１４】
2009158306.tif 000016
【図１５】
2009158306.tif 000017